(57)【要約】【課題】通常静止している表示板を、動かすことによって人の目に付きやすくし、安全で使用目的を限定しない装置を提供する。【解決手段】  モーターの回転軸にクランクを取り付け、クランクに軸を介したスライドブッシュを連結させ、スライドブッシュを基軸に設置する。クランクの回転に伴いスライドブッシュはモーター回転軸を中心に円運動するが、基軸は基台上に固定された支点軸を貫通させて設置する為、スライドブッシュが基軸上を滑りながら円運動する。それに伴い、基軸が支点軸を中心に円の軌道を往復運動し、基軸に連結されている表示板取り付け板も円の軌道を描き往復運動する。これにより、表示板に動きを持たせて通行人の注意を促進する。リング状手摺りやキャスターを取り付けることにより、本発明を安全に移動でき、また、リング状手摺りにより本発明が転倒の際に、破壊されるのを防いでいる。【選択図】図１
2005266661.tif 000002
【特許請求の範囲】
【請求項１】
モーターの回転軸に取り付けたクランクと軸を介して連結したスライドブッシュが、動力の回転により、設置してある基軸上を滑りながら円運動し、それに伴い基軸が支点軸を中心に円の軌道を描き往復運動する表示装置。
【請求項２】
表示板取り付け板に設置してある取り付け板にウエイトを取り付け、表示板が一定の向きを保持しながら支点軸を中心に、円の軌道を描き往復運動する機構。
【請求項３】
取り付け板と基軸をプランジャで連結させ、表示板が基軸と同様の向きで固定され、表示板の向きも円の軌道を描き往復運動する機構。
【請求項４】
基台にキャスターを取り付ける機構。
【請求項５】
基台にリング状安全手摺りを備える構造。
【請求項６】
本発明の支点部分にラバーベローを備える構造。
【請求項７】
請求項１の装置に、基軸と垂直に支点軸を貫通する軌道軸を設置し、基軸が支点軸を中心に円の軌道を描き往復運動する際、軌道軸が支点軸を中心に円の軌道を往復運動する機構。
【請求項８】
請求項７の装置を、左右２分割のカバーで囲む構造。
【発明の詳細な説明】
【技術分野】
【０００１】
本発明は工事現場やイベント会場及び店頭で、通行人、通行車輛から表示板をより気付きやすくさせるための円の軌道を往復運動する表示装置に関する。
【０００２】
主に看板を動かそうとする装置はどうしても大掛かりになる。その他交通整理用を目的として、スイングアームにライトを取り付け、モーターで駆動させるロボットが使用されている。また、看板に棒状ライトを取り付けてライトを動かすもの（特許文献１参照）もあるが、表示内容そのものが動くわけではない。
【特許文献１】特開２００２−２８５５１８
【発明の開示】
【発明が解決しようとする課題】
【０００３】
通常設置している看板は静止した状態では通行人の目に付きにくい。しかし、従来の技術ではこれらを動かすロボット装置は複雑または高価で、また一度作ると表示内容が決まってしまい、使用目的が限られるという問題点があった。
【０００４】
イベント会場や店頭で広告の為のロボット装置を設置するには、安全面を考慮する必要がある。しかし、来店者のある店内でスペースは限られており、大きな装置は設置することが出来ない。
【０００５】
本発明は、看板の表示部を動かすだけでなく、従来のもののように使用目的を限定しないためのものである。
【課題を解決するための手段】
【０００６】
装置を安価に押さえるため複雑な機構は使用せずに、モーターの回転軸にクランクを取り付け、クランクに軸を介したスライドブッシュを連結させ、スライドブッシュを基軸に設置する。クランクの回転に伴いスライドブッシュはモーター回転軸を中心に円運動するが、基軸は基台上に固定された支点軸を貫通させて設置する為、スライドブッシュが基軸上を滑りながら円運動する。それに伴い、基軸が支点軸を中心に円の軌道を描き往復運動する。
【０００７】
基軸は取り付け軸受を介して取り付け支点軸と連結し、取り付け支点軸は取り付け板を介して表示板取り付け板と連結している。よって、基軸に連結する表示板取り付け板も円の軌道を描き往復運動する。
【０００８】
表示板取り付け板に設置されている取り付け板に、ウエイト連結板を介してウエイトを取り付け、表示板取り付け板の方向を固定する事で、表示板が一定の向きで固定されたまま、円の軌道を描き往復運動する。
【０００９】
また、任意の取り付け板に設置されているプランジャ受に、プランジャを設置する事により、基軸と取り付け板が連結し、表示板取り付け板が基軸と同様の向きで固定され、表示板の向きも円の軌道を描き往復運動する。以上により、表示板に動きを持たせて通行人の注意を促進する。
【００１０】
基台に取り付けたキャスターによって本発明を移動させる事が出来る。
【００１１】
基台に取り付けた安全手摺りにより、本発明に手を触れることなく移動出来る。また、本発明が転倒した際でも、リング状手摺りが支えとなり、表示板や装置が直接たたきつけられる危険性が無い。
【００１２】
支点部分をラバーベローで囲むことにより、内部の機械部分をホコリなどから保護する。また、基軸の運動の際も形が崩れず、破壊される危険性が無い。
【００１３】
０００６の装置と同様にモーターの回転軸にクランクを取り付け、クランクに軸を介したスライドブッシュを連結させ、スライドブッシュを基軸に設置し、基軸を支点軸に設置する。この装置に、基軸と垂直に支点軸を貫通させて軌道軸を設置し、支点軸を介して基軸と連結させる。これにより、クランクの回転で基軸が支点軸を中心に円の軌道を描き往復運動し、それに伴い基軸と連結された軌道軸が、支点軸を中心に円の軌道を描き往復運動する。
【００１４】
軌道軸の左右端部に０００７と同様の方法で表示板取り付け板を設置すると、表示板が支点軸を中心に円の軌道を描き往復運動する。
【００１５】
００１３の装置を、カバー連結板で左右２分割のカバーを繋ぎ囲む事により、カバー連結板とカバーが重ね合わさる為、水などの内部への浸入を防ぐ事が出来る。
【発明の効果】
【００１６】
上述のように、看板の表示部を動かす事で通行人や通行車輛に強烈な印象を与える事が出来る。
【００１７】
使用場所を限定させない為、基台に取り付けたキャスターによって本発明を移動させて使用領域を広げる。また、移動の際も基台に取り付けた安全手摺りにより、本発明に手を触れることなく安全に目的の場所へ移動させることが出来る。
【００１８】
本発明が使用時に転倒した際でも、リング状手摺りが支えとなり、表示板や装置が直接たたきつけられる危険性が無く、本発明が破壊される心配が無い。
【００１９】
支点軸をラバーベローで囲む事により、内部の機械部分をホコリなどから保護し、また基軸の運動の際も形が崩れず、破壊される危険性が無く、安全に使用することが出来る。
【発明を実施するための最良の形態】
【００２０】
以下、本発明の形態を図１〜図７に基づいて説明する。
【００２１】
７の１１に８を取り付け、８に１０を介した９を連結させ、９を２に設置する。８の回転に伴い９は１１を中心に円運動するが、２は５上に固定された１２を貫通させて設置する為、９が２上を滑りながら円運動する。それに伴い、２が１２を中心に２ａ−２ｂの移動幅で円の軌道を描き往復運動する。
【００２２】
２は１６を介して１５と連結し、１５は１４を介して１と連結している。よって、２に連結する１も円の軌道を描き２ａ−２ｂの移動幅で往復運動する。
【００２３】
図１は表示板を中央から運動させる本発明の全体図である。５に６を取り付けることにより、本発明を移動できる。また、４で本発明を囲む事により、安全帯を作っている。
【００２４】
図２は図１の５内の詳細図である。７の１１に８を取り付け、１０を介して８と９を連結させ、９を２に設置する。８の回転に伴い９は１１を中心に円運動するが、２は５上に固定された１２を貫通させて設置する為、９が２上を滑りながら円運動する。それに伴い、２が１２を中心に２ａ−２ｂの移動幅で円の軌道を描き往復運動する。
【００２５】
図３はウエイト時の表示板取り付け部詳細図である。１を設置している１４に、１７を介して１８を取り付け、１の方向を固定する事で、表示板が一定の向きで固定されたまま、２ａ−２ｂの移動幅で円の軌道を描き往復運動する。
【００２６】
図４はプランジャ時の表示板取り付け部詳細図である。１４に設置されている１９に、２０を設置する事により、２と１４が連結し、１が２と同様の向きで固定され、表示板の向きも２ａ−２ｂ間の移動幅で円の軌道を描き往復運動する。
【００２７】
図５は本発明が転倒した際の全体図である。５に取り付けた４が支えとなり、１や各装置が直接たたきつけられる危険性が無く、破壊される心配も無い。
【００２８】
図６は表示板を左右に設置し運動させる本発明の全体図である。
【００２９】
図７は図６の２５内の詳細図である。００２１の装置と同様に７の１１に８を取り付け、８に１０を介した９を連結させ、９を２に設置し、２を１２に設置する。この装置に、２と垂直に１２を貫通させて２３を設置し、１２を介して２と連結させる。これにより、８の回転で２が２ａ−２ｂ間の移動幅で１２を中心に円の軌道を描き往復運動し、それに伴い２に連結された２３が、２３ａ−２３ｂ間の移動幅で１２を中心に円の軌道を往復運動する。
【００３０】
２３の左右端部に００２２の方法で１を設置すると、表示板が２３ａ−２３ｂ間の移動幅で１２を中心に円の軌道を描き往復運動する。
【００３１】
また、００２９の装置を２６で左右２分割の２５ａ、２５ｂを繋ぎ囲む事により、２６と２５ａ、２５ｂが重ね合わさる為、水などの内部への浸入を防ぐ事が出来る。
【図面の簡単な説明】
【００３２】
【図１】中央表示板式  全体正面図
【図２】中央表示板式  基台内詳細側面図及び正面図
【図３】ウエイト時  表示板取り付け部詳細側面図及び正面図
【図４】プランジャ時  表示板取り付け部詳細側面図及び正面図
【図５】中央表示板式転倒時  全体正面図
【図６】左右表示板式  全体正面図
【図７】左右表示板式  カバー内詳細側面図及び正面図
【符号の説明】
【００３３】
１．表示板取り付け板
２．基軸
３．ラバーベロー
４．リング状安全手摺り
５．基台
６．キャスター
７．モーター
８．クランク
９．スライドブッシュ
１０．クランク軸
１１．モーター回転軸
１２．支点軸
１３．支点軸受
１４．取り付け板
１５．取り付け支点軸
１６．取り付け軸受
１７．ウエイト連結板
１８．ウエイト
１９．プランジャ受
２０．プランジャ
２１．支柱
２２．安全保護クッション
２３．軌道軸
２４．プランジャ取り付け板
２５．分割カバー
２６．カバー連結板
【図１】
2005266661.tif 000003
【図２】
2005266661.tif 000004
【図３】
2005266661.tif 000005
【図４】
2005266661.tif 000006
【図５】
2005266661.tif 000007
【図６】
2005266661.tif 000008
【図７】
2005266661.tif 000009